(57)【要約】      （修正有）【課題】揺動レバーが不用意に停止位置から揺動せず、またトリガーに当接したときの衝撃音を低減するようにした引戸用ランナーを提供する。【解決手段】戸板に固定されるフレーム部材２１のガイド溝２１ｂに沿って摺動可能であるスライド部材２２と、スライド部材２２を引戸開放方向に付勢する引張バネ２５と、フレーム部材２１に対して係合する停止位置と係合せず摺動可能な摺動位置との間を揺動可能な揺動レバー２３と、揺動レバー２３を停止位置に係止及び係止解除するロック部材２４と、を備え、引戸の閉鎖時に、戸枠に設けられたトリガー２７がロック部材２４に当接して揺動レバー２３の係止が解除され、さらに揺動レバー２３に当接して揺動レバー２３が摺動位置まで揺動し、係合爪がトリガー２７に係合して、引戸が閉鎖位置まで移動するように、引戸用ランナー１４，２０を構成する。【選択図】図２
2016194213.tif 000002
【特許請求の範囲】
【請求項１】
引戸の戸枠に設けられたガイドレールに沿って長手方向に走行するガイドローラと、戸板に固定され且つ前記ガイドローラに連結されるユニット部材と、を有し、
前記ユニット部材は、
前記ガイドローラに連結されるフレーム部材と、
前記フレーム部材に設けられた長手方向のガイド溝に沿って摺動可能であるスライド部材と、
前記スライド部材内に、長手方向に対して垂直な横方向に延びる揺動軸により揺動可能に支持され、前記フレーム部材に対して係合する停止位置と前記フレーム部材に係合せず摺動可能な摺動位置との間を揺動可能な揺動レバーと、
前記揺動レバーを停止位置に係止及び係止解除するロック部材と、を備え、
引戸の閉鎖または開放時に、戸板の移動に伴って、戸枠に設けられたトリガーが前記ロック部材に当接して前記揺動レバーの係止が解除され、さらに前記トリガーが前記揺動レバーに当接して前記揺動レバーが摺動位置まで揺動し、前記揺動レバーの係合爪が前記トリガーに係合して、前記揺動レバー及び前記スライド部材が前記フレーム部材内を摺動し、前記引戸が閉鎖位置または開放位置まで移動する、
ことを特徴とする、引戸用ランナー。
【請求項２】
前記ロック部材は、前記揺動レバーに対して揺動可能に支持されている、請求項１に記載の引戸用ランナー。
【請求項３】
前記ロック部材は、横方向に突出して設けられた係合部を有し、この係合部が前記スライド部材に設けられた係合凹部に係合することにより、前記揺動レバーを停止位置に係止する、請求項１または２に記載の引戸用ランナー。
【請求項４】
前記スライド部材は、前記ロック部材の係合部をガイドするガイド部を備え、このガイド部に前記係合凹部が形成されており、
前記係合凹部から外れた状態では、前記ロック部材の係合部が前記揺動レバーの揺動に伴って前記ガイド部に沿って移動して、前記揺動レバーの摺動位置までの揺動を許す、請求項３に記載の引戸用ランナー。
【請求項５】
前記ロックレバーと前記揺動レバーとの間に付勢部材を備えた、請求項１から４の何れかに記載の引戸用ランナー。
【請求項６】
前記ユニット部材は、
前記スライド部材を引き戸開放方向または閉鎖方向に付勢する付勢手段を備えた、請求項１から５の何れかに記載の引戸用ランナー。
【請求項７】
前記ユニット部材は、
前記スライド部材の引き戸開放方向または閉鎖方向への移動を抑制する抑制部材を備えた、請求項１から６の何れかに記載の引戸用ランナー。
【発明の詳細な説明】
【技術分野】
【０００１】
本発明は、開口部に開閉可能に支持された引戸に関し、特に閉鎖または開放時の閉鎖位置または開放位置付近での引戸の制動機能を備えた引戸用ランナーに関するものである。
【背景技術】
【０００２】
従来、住宅の各室間の出入り口等の開口部を開閉するために引戸が使用されることがある。
このような引戸は、例えば開口部の上縁に沿って設けられたガイドレールに沿って走行するガイドローラを含む閉動作抑制構造により支持される。
引戸は、ガイドレールに沿ってガイドローラが走行して開口部の一側または両側に向かって移動することにより、開口部を開放し、または閉鎖する。
【０００３】
そして、引戸の開閉時に、操作性を向上させるために、開放された引戸を自動的に閉鎖位置まで移動させる自閉手段を備えた自閉式引戸が知られている。
【０００４】
このような自閉式引戸は、例えばゼンマイを利用したり、あるいはガイドレールを閉鎖位置側で低くなるように傾斜して設置したりすることにより、外部からエネルギーを供給することなく、引戸の自閉を実現することができる。
【０００５】
自閉式引戸を閉鎖位置付近で制動するようにした自閉式引戸の閉動作抑制構造も知られている。
このような閉動作抑制構造は、例えばランナーまたは引戸側に設けられたベース部と、ベース部に対して引戸開閉方向に移動可能に支持されたスライド部材と、スライド部内で横方向に延びる揺動軸の周りに揺動可能な揺動レバーと、スライド部材を引戸開放側に付勢する付勢手段と、スライド部材の引戸開放側への移動を抑制するダンパー部材と、を含んでいる。
【０００６】
揺動レバーの揺動軸は、スライド部材を貫通して、ベース部に設けられた引戸開閉方向に延びるガイド溝に摺動可能に支持され、且つ揺動レバーの引戸開放側に設けられた係合軸が、上記ガイド溝から分岐した係合溝内に進入して、揺動レバーが摺動位置から停止位置に揺動することにより、揺動レバーが引戸開閉方向に関して係止される。
ここで、引戸が閉鎖位置に近づいて、戸枠側に設けられたトリガーにより揺動レバーが停止位置から摺動位置に揺動すると、上記揺動レバーが上記トリガーに係合すると共に、上記係合軸が上記係合溝から上記ガイド溝内に移動し、上記ガイド溝に沿って移動可能となる。
そして、さらなる引戸の閉鎖位置への移動により、揺動レバーは、トリガーにより上記ガイド溝を引戸開放方向に相対的に移動し、その際、揺動レバーの移動がダンパー部材により制動される。従って、揺動レバーの引戸開放方向への移動が低速となり、引戸が閉鎖位置まで低速で移動することになる。
【０００７】
特許文献１には、レール上面に形成されたトリガーと、横軸を介して上下に回動変位可能に形成され、上面にトリガーが係入する凹部が設けられた係合部材を備えた引戸用ランナー構造が開示されている。
このランナー構造においては、引戸が閉鎖位置に近づいたとき、トリガーが凹部に係入することにより、ダンパーの作用で引戸が低速で閉鎖位置まで移動する。
【先行技術文献】
【特許文献】
【０００８】
【特許文献１】特開２０１２−１１２１０１号公報
【発明の概要】
【発明が解決しようとする課題】
【０００９】
しかしながら、前述した自閉式引戸用の制動構造においては、係合部材がトリガーに当接していない状態でも揺動可能であるため、係合部材がトリガーに当接していないにもかかわらず摺動位置に意図せずして揺動してしまうことがある。このような場合、引戸が閉鎖位置に接近したとき、係合部材がトリガーに衝突して、それ以上閉鎖方向に移動できず、引戸が完全に閉鎖位置まで閉鎖できなくなってしまう。このため、係合部材を元の位置に揺動させる煩雑な手作業が必要になる。
また、この自閉式引戸用の制動構造の引戸への組み込みの際に係合部材が意図せずして摺動位置へ揺動してしまうことがあり、この場合も手動で係合部材を元の位置に揺動させる必要が有るため、作業が煩雑になり、組立時間が長くなってしまう。
【００１０】
また、係合部材が摺動位置に意図せずして揺動してしまうことを防ぐためには、係合部材にある程度大きな力が加わった場合にのみ係合部材が摺動位置に移動するように設定する必要があり、この場合には、係合部材がトリガーに当接して摺動位置に揺動する際に大きな力が加わるため、衝撃音が発生することになってしまう。
【００１１】
本発明は、以上の点に鑑み、簡単な構成により、揺動レバー（係合部材）が不用意に揺動しない、引戸を制動するための引戸用ランナーを提供することを目的としている。
【課題を解決するための手段】
【００１２】
上記目的は、本発明の構成によれば、引戸の戸枠に設けられたガイドレールに沿って長手方向に走行するガイドローラと、戸板に固定され且つガイドローラに連結されるユニット部材と、を有し、ユニット部材は、ガイドローラに連結されるフレーム部材と、フレーム部材に設けられた長手方向のガイド溝に沿って摺動可能であるスライド部材と、スライド部材内に、長手方向に対して垂直な横方向に延びる揺動軸により揺動可能に支持され、フレーム部材に対して係合する停止位置とフレーム部材に係合せず摺動可能な摺動位置との間を揺動可能な揺動レバーと、揺動レバーを停止位置に係止及び係止解除するロック部材と、を備え、引戸の閉鎖または開放時に、戸板の移動に伴って、戸枠に設けられたトリガーがロック部材に当接して揺動レバーの係止が解除され、さらにトリガーが揺動レバーに当接して揺動レバーが摺動位置まで揺動し、揺動レバーの係合爪がトリガーに係合して、揺動レバー及びスライド部材がフレーム部材内を摺動し、引戸が閉鎖位置または開放位置まで移動することを特徴とする、引戸用ランナーにより、達成される。
【００１３】
上記構成によれば、引戸の戸板は、ガイドローラがガイドレールに係合することにより、戸枠に対して開閉可能に支持されており、引戸は、閉鎖位置または開放位置に移動して停止し、開口部が閉鎖または開放される。
ここで、引戸の閉鎖または開放状態においては、揺動レバーが摺動位置に在って、その係合爪がトリガーの引戸閉鎖または開放側に係合することにより、揺動レバー及びスライド部材がガイド溝の引戸開放または閉鎖側に移動した状態にある。
このとき、揺動レバーは、ロック部材によって係止されていない。
【００１４】
このような閉鎖位置または開放位置から引戸が開放または閉鎖されると、摺動位置に在る揺動レバーがトリガーに係合しているため、引戸の開方向または閉方向への移動に伴って、揺動レバー及びスライド部材がフレーム部材のガイド溝に沿って相対的に引戸閉鎖または開放方向に摺動する。
そして、揺動レバーの揺動軸がガイド溝の引戸閉鎖または開放側の端部に達して、さらに引戸が開放または閉鎖されると、引戸の開方向または閉方向への移動に伴って、揺動レバーの係合軸がガイド溝から係合溝内に進入し、揺動レバーが停止位置まで揺動する。このとき、揺動レバーの係合爪がトリガーから外れる。そして、揺動レバーは、この停止位置でロック部材により係止される。
この状態で、揺動レバーはトリガーから解放され、さらなる引戸の開方向または閉方向への移動を許すことになる。従って、引戸は全開位置または任意の開放位置あるいは全閉位置または任意の閉鎖位置まで開放され得ることになる。
【００１５】
また、引戸を閉鎖または開放する際には、引戸が閉鎖方向または開放方向に移動される。
これにより、引戸が閉鎖位置または開放位置手前まで移動して、まずロック部材が戸枠に設けられたトリガーに当たると、ロック部材が揺動レバーの停止位置での係止を解除する。その後、停止位置に在る揺動レバーの係合部が、戸枠に設けられたトリガーに当たって、揺動レバーが摺動位置まで揺動する。
これにより、揺動レバーの係合爪がトリガーの引戸閉鎖または開放側に係合して、揺動レバー及びスライド部材が戸枠側に固定されると共に、揺動レバーの係合軸が係合溝から脱出してガイド溝内に移動する。
【００１６】
さらに、引戸が閉鎖方向または開放方向に移動すると、この引戸の移動に伴って、揺動レバー及びスライド部材は、戸枠側に対しては静止したままで、フレーム部材に対してガイド溝に沿って相対的に引戸閉鎖または開放側に摺動する。
【００１７】
ここで、揺動レバーが停止位置に位置している状態においては、揺動レバーはロック部材によって停止位置に係止されている。
従って、引戸が開放位置と閉鎖位置の間にある状態では、揺動レバーが停止位置に在って、例えば引戸に振動等による衝撃が加えられたとしても、揺動レバーが停止位置から外れて摺動位置に向かって揺動してしまうようなことはない。
また、引戸用ランナーの引戸への組み込み前にも、揺動レバーがロック部材によって停止位置に係止されていることから、不用意に揺動レバーが停止位置から摺動位置に向かって揺動してしまうようなことがない。
従って、引戸への組み込みの際に、揺動レバーが停止位置に在ることを確認したり、あるいは摺動位置に在る揺動レバーを手作業で停止位置に揺動させる必要がなく、引戸用ランナーの引戸への組み込みが簡単に短時間で行なわれ得ることになる。
また、上述のようにロック部材による係止が解除されない限り揺動レバーが停止位置から摺動位置に向かって揺動してしまうようなことがないから、揺動レバーの停止位置から摺動位置への移動に要する力を小さく設定することができる。また揺動レバーが停止位置から摺動位置へ移動するように付勢しておくことも可能である。このため、揺動レバーのトリガーへの当接時における衝撃音を低減することができる。
【００１８】
本発明による引戸用ランナーは、好ましくは、ロック部材が揺動レバーに対して揺動可能に支持されている。
本発明による引戸用ランナーは、好ましくは、ロック部材が、横方向に突出して設けられた係合部を有し、この係合部がスライド部材に設けられた係合凹部に係合することにより、揺動レバーを停止位置に係止する。
この構成によれば、ロック部材の揺動により、ロック部材の係合部がスライド部材に設けられた係合凹部に係合することによって、揺動レバーが停止位置に係止される。
【００１９】
本発明による引戸用ランナーは、好ましくは、スライド部材が、ロック部材の係合部をガイドするガイド部を備え、このガイド部に係合凹部が形成されており、係合凹部から外れた状態では、ロック部材の係合部が揺動レバーの揺動に伴ってガイド部に沿って移動して、揺動レバーの摺動位置までの揺動を許す。
この構成によれば、ロック部材が揺動レバーに対して揺動することにより、ロック部材の係合部がスライド部材に設けられたガイド部に沿ってガイドされて、揺動レバーが摺動位置まで円滑に揺動することが可能になる。
【００２０】
本発明による引戸用ランナーは、好ましくは、ロックレバーと揺動レバーとの間に付勢部材を備えている。
この構成によれば、付勢部材によって、ロックレバーの係合部が係合凹部内に係合する方向に付勢されることになるので、揺動レバーが停止位置にあるとき、ロックレバーの係合部が確実にスライド部材の係合凹部内に嵌入して、揺動レバーを停止位置に係止することが可能となる。
【００２１】
このようにして、本発明によれば、簡単な構成により、揺動レバーが不用意に停止位置から揺動しない引戸用ランナーを提供することができる。
【図面の簡単な説明】
【００２２】
【図１】本発明による引戸用ランナーの一実施形態を組み込んだ自閉式引戸が戸枠に設置される前の全体構成を示す概略正面図である。
【図２】図１の自閉式引戸に組み込まれた引戸用ランナーの引戸開放時における正面図である。
【図３】図２の引戸用ランナーの要部を一部破断して示す部分拡大正面図である。
【図４】図２の引戸用ランナーの要部の構成を示す分解斜視図である。
【図５】図２の引戸用ランナーの要部の構成を示す部分拡大斜視図である。＋
【図６】図２の引戸用ランナーの要部の構成を示す部分拡大断面図である。
【図７】図２の引戸用ランナーの引戸閉鎖時における正面図である。
【図８】図７の引戸用ランナーの要部を一部破断して示す部分拡大正面図である。
【図９】図２の引戸用ランナーの引戸開放時及び引戸閉鎖時を比較する正面図である。
【図１０】図２の引戸用ランナーの引戸閉鎖時の制動動作を順次に示す一部破断正面図である。
【図１１】図２の引戸用ランナーの引戸閉鎖時のロック部材の係合部とスライド部材のガイド部との関係を順次に示す一部破断部分正面図である。
【発明を実施するための形態】
【００２３】
図１は、本発明による引戸用ランナーの一実施形態を自閉式引戸に組み込んだ状態であって戸枠に引戸を取り付ける前の状態を示している。
図１において、自閉式引戸１０は、建物等に設けられた開口部の戸枠１１の上縁に設けられたガイドレール１２に沿って長手方向（Ｘ方向）に移動可能に支持された引戸（戸板）１３と、その上縁に配置されたユニット部材２０により、構成されている。
ここで、引戸１３は、その上縁両端付近に取り付けられたガイドローラ１４，１４がガイドレール１２に沿って走行することにより、ガイドレール１２に沿って長手方向に移動すると共に、内蔵された自閉手段によって、閉鎖方向に付勢されている。
【００２４】
ガイドレール１２は、図２にて鎖線で示すように、例えば断面が中空の四角形として例えば長尺のアルミニウム材から構成されており、Ｚ方向下方が開放していると共に、長手方向に垂直な横方向（紙面に垂直なＹ方向）の両側の下縁が内側に折り返されることにより、その先端が上方を向いたレール部１２ａを形成している。
【００２５】
ガイドローラ１４は、図１及び図２に示すように、引戸１３の上縁両端付近にて引戸１３の上縁に設けられた凹陥部１３ａ内に取り付けられる本体１４ａと、本体１４ａの上端から軸部１４ｂを介して上方に連結される支持部１４ｃに回転可能にＸ方向に隔置して取り付けられる二対の車輪１４ｄと、から構成されている。
【００２６】
車輪１４ｄは、図２に示すように、支持部１４ｃのＸ方向両側に延びる部分で、Ｙ方向両側に配置されている。
車輪１４ｄの回転軸は、ガイドレール１２内の両側に延びるように、支持部１４ｃをＹ方向に貫通して配置されており、車輪１４ｄが、それぞれガイドレール１２内で対応するレール部１２ａに乗ることにより、引戸１３の開閉に伴ってレール部１２ａ上を転動する。
【００２７】
ユニット部材２０は、図１に示すように、引戸１３の上端に取り付けられる二つのガイドローラ１４のうち、一方（図１において左方）のガイドローラ１４の支持部１４ｃの一端（図示の場合、右端）に一体的に取り付けられている。
ここで、一方のガイドローラ１４とユニット部材により、本発明による引戸用ランナーを構成している。
【００２８】
ユニット部材２０は、図２〜図６に示すように、フレーム部材２１と、スライド部材２２と、揺動レバー２３と、ロック部材２４と、引張バネ２５と、抑制手段としてのダンパー部材２６と、を有している。
【００２９】
フレーム部材２１は、引戸開放側、即ち図２及び図３にて左側に、凹陥部２１ａ（図４参照）を備えており、この凹陥部２１ａがガイドローラ１４の支持部１４ｃの右端に設けられた突出部１４ｅに係合することにより、支持部１４ｃに対して一体的に取り付けられ、固定ネジ２１ｅにより固定保持される。
【００３０】
フレーム部材２１は、底部及び長手方向両側に位置する両側壁を有しており、これら両側壁に設けられた長手方向（Ｘ方向）に延びるガイド溝２１ｂ（図４参照）により、後述する揺動レバー２３の揺動軸をＸ方向に摺動可能に且つ揺動可能に支持する。
ガイド溝２１ｂは、その引戸開放側の端部（図２にて右端）までの長さが、後述するように引戸１３の閉鎖位置までの移動により、揺動レバー２３の係合軸がガイド溝２１ｂの右端に当接しないように、選定されている。
ここで、フレーム部材２１は、図４に示すように、そのガイド溝２１ｂの引戸閉鎖側の端部付近から上方に延びる係合溝２１ｃを有している。
この係合溝２１ｃは、揺動レバー２３の揺動軸がガイド溝２１ｂの引戸閉鎖側の端部に位置するときの揺動レバー２３の係合軸に対応する位置で、ガイド溝２１ｂから分岐して、ガイド溝２１ｂの接続部分から引戸閉鎖側に向かって斜め上方に延びている。
そして、ガイド溝２１ｂと係合溝２１ｃとの間の接続部分は、角部が湾曲して形成されている。
【００３１】
フレーム部材２１は、引戸開放側（図２にて右方）の端部付近に、左右一対のガイドローラ２１ｄを備えている。
これらガイドローラ２１ｄは、ガイドローラ１４の車輪１４ｄと共に、ガイドレール１２のレール部１２ａに乗って、引戸１３の開閉移動に伴って転動する。  
これにより、フレーム部材２１そしてユニット部材２０全体が、安定してガイドレールに沿って移動できる。
【００３２】
スライド部材２２は、フレーム部材２１の両側壁の間に配置され、後述するように揺動レバー２３の揺動軸がＹ方向に貫通する貫通孔２２ａを引戸閉鎖側に備えており、この揺動軸がフレーム部材のガイド溝２１ｂに沿って案内されることにより、フレーム部材２１内で長手方向（Ｘ方向）に摺動する。
尚、スライド部材２２は、その引戸開放側にも同様のＹ方向に貫通する貫通孔２２ｅを備えており、この貫通孔２２ｅに挿通されたガイド軸２２ｆが上記揺動レバー２３の揺動軸と共にガイド溝２１ｂに沿って案内されることにより、スライド部材２２が安定してＸ方向に摺動し得るようになっている。
【００３３】
揺動レバー２３は、図２〜図４に示すように、スライド部材２２内に収容されており、揺動軸２３ａから長手方向両側に延びている。
ここで、揺動軸２３ａは、揺動レバー２３の長手方向中央付近で左右方向（Ｙ方向）に貫通する軸孔２３ｂ内に挿通され、さらに左右両側に突出して、フレーム部材２１のガイド溝２１ｂ内に嵌入している。
【００３４】
揺動レバー２３は、その軸孔２３ｂの引戸１３とは反対側（図２において上側）に突出した係合部２３ｃを有している。
この係合部２３ｃは、本引戸用ランナー、即ちガイドローラ１４及びユニット部材２０が引戸１３の上端に取り付けられた状態で、ガイドレール１２内の上面近くまで延びている。
これに対して、戸枠側、図示の場合には、ガイドレール１２内の上面には、トリガー２７が取付ネジ２７ａにより取り付けられている。
ここで、トリガー２７は、引戸１３の閉鎖位置より所定距離だけ手前の位置で、引戸１３に取り付けられたユニット部材２０における揺動レバー２３の係合部２３ｃが当接する位置に配置されている。
【００３５】
これにより、引戸１３の閉鎖に伴って、ガイドローラ１４及びユニット部材２０がガイドレール１２内を引戸閉鎖側に移動する際に、揺動レバー２３の係合部２３ｃがトリガー２７に当たって、揺動レバー２３が図２及び図３に示す停止位置から時計回りに揺動し、図７及び図８に示す摺動位置まで揺動するようになっている。
【００３６】
また、揺動レバー２３は、その引戸開放側（図２において右方）の端部付近に、Ｙ方向に延びる軸孔２３ｄを有しており、この軸孔２３ｄ内には、係合軸２３ｅが挿通される。
係合軸２３ｅは、スライド部材２２に設けられたスロット２２ｂを貫通して、フレーム部材２１のガイド溝２１ｂまたは係合溝２１ｃ内に嵌入する。
スロット２２ｂは、貫通孔２２ａを中心とし且つ揺動軸２３ａ及び係合軸２３ｅの距離を半径とする円弧状に形成されており、揺動レバー２３の揺動軸２３ａを中心とする揺動の際に、揺動レバー２３の係合軸２３ｅを円滑にガイドする。
【００３７】
さらに、揺動レバー２３は、その引戸閉鎖側（図２において左方）の端部に、上方に突出する係合爪２３ｆを備えている。
この係合爪２３ｆは、揺動レバー２３が図２及び図３に示す停止位置から図７及び図８に示す摺動位置まで揺動したとき、ガイドレール１２内の上面付近にまで上方移動して、後述するようにトリガー２７の引戸閉鎖側に係合するようになっている。
【００３８】
このようにして、揺動レバー２３は、図２及び図３に示す停止位置から、図７及び図８に示す摺動位置まで、時計回りに揺動する。
停止位置においては、図３に詳細に示すように、揺動レバー２３の係合軸２３ｅがフレーム部材２１の係合溝２１ｃに係合していることにより、揺動レバー２３及びスライド部材２２は、フレーム部材２１に対して長手方向に移動しないように係止される。
また、摺動位置においては、図８に詳細に示すように、揺動レバー２３の係合軸２３ｅがフレーム部材２１のガイド溝２１ｂ内に位置しているので、揺動レバー２３の揺動軸２３ａ及び係合軸２３ｅがガイド溝２１ｂに沿って移動することにより、揺動レバー２３及びスライド部材２２は、フレーム部材２１に対して長手方向に移動し得る。
【００３９】
ロック部材２４は、図３〜図５に示すように、揺動レバー２３内に収容されており、揺動レバー２３の揺動軸２３ａ及び係合軸２３ｅの間の下方にて横方向（Ｙ方向）に延びる揺動軸２４ａの周りに揺動可能に支持されている。
ロック部材２４は、その上端の引戸開放側が揺動レバーとの間に設けられた付勢部材としての圧縮バネ２４ｂにより、図３にて反時計回りに付勢されている。
この圧縮バネ２４ｂは、図６に詳細に示すように、その一端がロック部材２４の上端の引戸開放側に向かって突出するボス部２４ｃに被嵌されると共に、その他端が揺動レバー２３の引戸開放側端部から引戸閉鎖側に向かって突出するボス部２３ｇに被嵌されることによって、ロック部材２４と揺動レバー２３との間に保持されている。
【００４０】
ロック部材２４は、その上端の引戸開放側に、横方向（Ｙ方向）両側に突出する一対の係合部２４ｄを有している。
これに対して、スライド部材２２の内側には、ロック部材２４の係合部２４ｄをガイドするガイド部２２ｃが設けられている。
ガイド部２２ｃは、揺動レバー２３の揺動に伴って、揺動レバー２３と一体に移動するロック部材２４の係合部２４ｄをガイドする。
【００４１】
さらに、ガイド部２２ｃは、揺動レバー２３の停止位置におけるロック部材２４の係合部２４ｄに対応して係合凹部２２ｄを備えている。
揺動レバー２３が停止位置まで揺動すると、ロック部材２４の係合部２４ｄが圧縮バネ２４ｂの付勢力により、係合凹部２２ｄ内に押し込まれ、係止される。このとき、揺動レバー２３は、揺動することができないから、停止位置において、ロック部材２４により係止されることになる。
これに対して、係合部２４ｄがガイド部２２ｃの係合凹部２２ｄから外れた状態では、ロック部材２４の係合部２４ｄがガイド部２２ｃに沿ってガイドされつつ、揺動レバー２３の摺動位置までの揺動が可能となる。
【００４２】
また、ロック部材２４は、その上端の引戸閉鎖側の端部が尖って形成されており、その尖端２４ｅは、その係合部２４ｄがガイド部２２ｃの係合凹部２２ｄ内に嵌入している状態で、図６に詳細に示すように、揺動レバー２３の係合部２３ｃより距離ｄだけ引戸閉鎖側に位置している。
【００４３】
ここで、図９の下段に示すように、引戸１３が開放位置から閉鎖位置に向かって移動して、閉鎖位置から所定距離Ｄの位置に達するまでは、図２，図３及び図６に示すように、揺動レバー２３は停止位置に在って、揺動レバー２３及びスライド部材２２は、フレーム部材２１、ユニット部材２０そして引戸１３と一体的に移動する。
このとき、ロック部材２４の係合部２４ｄがガイド部２２ｃの係合凹部２２ｄ内に圧縮バネ２４ｂの付勢力により嵌入していることによって、揺動レバー２３は停止位置に係止されている。従って、振動や衝撃等によって揺動レバー２３が不用意に停止位置から摺動位置に向かって揺動してしまうようなことはない。
【００４４】
そして、引戸１３がこの位置からさらに閉鎖方向に移動すると、引戸１３の閉鎖方向への移動に伴って、まずロック部材２４の尖端２４ｅがトリガー２７に当接し、相対的にロック部材２４の係合部２４ｄが引戸１３の開放方向に押動されるので、ロック部材２４の係合部２４ｄがスライド部材２２のガイド部２２ｃの係合凹部２２ｄから外れる。これにより、ロック部材２４による揺動レバー２３の係止が解除される。
続いて、引戸１３の閉鎖方向の移動に伴って、揺動レバー２３の係合部２３ｃがトリガー２７に当接し、相対的に揺動レバー２３の係合部２３ｃが引戸１３の開放方向に押動される。これにより、揺動レバー２３が揺動軸２３ａの周りに時計回りに揺動して、摺動位置に達すると共に、揺動レバー２３の係合爪２３ｆがトリガー２７の引戸閉鎖側に係合する。
このとき、揺動レバー２３の揺動に伴って、ロック部材２４の係合部２４ｄも移動するが、このとき係合部２４ｄは、スライド部材２２に設けられたガイド部２２ｃに対し付勢されつつガイドされる。
【００４５】
さらに、引戸１３が閉鎖方向に移動すると、係合爪２３ｆがトリガー２７に係合していることにより、揺動レバー２３及びスライド部材２２はフレーム部材２１に対して相対的に引戸開放側に向かって摺動し、引戸１３が閉鎖位置に達すると、図９の上段に示すように、揺動レバー２３の係合軸２３ｅは、ガイド溝２１ｂの右端付近まで移動し、引戸１３が戸枠に当たって、閉鎖位置で停止する。
【００４６】
引張バネ２５は、フレーム部材２１内において、引戸開放側（図２にて右方）の端部と、スライド部材２２の引戸開放側の端部との間に張架された引張バネであって、スライド部材２２をフレーム部材２１内で引戸開放側に付勢する。
【００４７】
抑制部材としてのダンパー部材２６は、本体部２６ａと、本体部２６ａに対して入れ子式に移動可能である可動部２６ｂとから構成されており、可動部２６ｂが本体部２６ａに対して移動しようとするとき、その移動が抑制され、減速されるようになっている。
そして、ダンパー部材２６は、フレーム部材２１内において、その本体部２６ａの引戸開放側（図２にて右方）の端部がフレーム部材２１の右端に取り付けられると共に、図３に示すように、可動部２６ｂの先端２６ｄがスライド部材２２の引戸開放側に取り付けられている。
【００４８】
本発明による引戸用ランナーは、以上のように構成されており、以下のように動作する。
まず、引戸１３の開放状態（より詳細には、引戸１３の左端が戸枠から所定距離Ｄ以上離れている状態）においては、図２，図３及び図６に示すように、揺動レバー２３が停止位置に在って、その係合軸２３ｅが係合溝２１ｃに係合している。これにより、揺動レバー２３及びスライド部材２２は、フレーム部材２１に対して長手方向に移動しないように係止されている。
従って、引戸１３の開閉移動に伴って、揺動レバー２３は、フレーム部材２１と一体的に長手方向（Ｘ方向）に移動し、その際、引張バネ２５及びダンパー部材２６は作用せず、制動作用は発生しない。
このとき、揺動レバー２３は、ロック部材２４により上述した停止位置に係止されているので、引戸１３の移動による振動や衝撃等によって、不用意に停止位置から摺動位置ま向かって揺動してしまうようなことはない。
【００４９】
そして、引戸１３が内蔵された自閉手段によって引戸閉鎖方向（Ｘ２方向）に移動することにより、閉鎖位置から所定距離Ｄより少しだけ手前の位置（図１０（ａ）参照）から、さらに図１０（ｂ）及び図１１（ａ）に示すように、閉鎖位置から所定距離Ｄだけ手前の位置に達すると、まずロック部材２４の尖端２４ｅがトリガー２７に当接する。
【００５０】
さらに、引戸１３が引戸閉鎖方向（Ｘ２方向）に移動すると、図１０（ｃ）及び図１１（ｂ）に示すように、トリガー２７によりロック部材２４の尖端２４ｅが相対的に引戸開放方向（Ｘ１方向）に向かって押動される。これにより、ロック部材２４の係合部２４ｄがガイド部２２ｃの係合凹部２２ｄから外れて、ロック部材２４による揺動レバー２３の係止が解除される。
同時に、揺動レバー２３の係合部２３ｃがトリガー２７に当接する。
【００５１】
さらに、引戸１３が引戸閉鎖方向（Ｘ２方向）に移動すると、トリガー２７が揺動レバー２３の係合部２３ｃを相対的に引戸開放方向（Ｘ１方向）に向かって押動する。
これにより、図１０（ｄ）及び図１１（ｃ）に示すように、揺動レバー２３は、揺動軸２３ａの周りに時計回りに揺動し、その係合軸２３ｅがフレーム部材２１の係合溝２１ｃからガイド溝２３ｃ内に移動する。
同時に、揺動レバー２３の揺動により、揺動レバー２３の係合爪２３ｆが上方に移動して、トリガー２７の引戸閉鎖側に係合する。
このとき、ロック部材２４の係合部２４ｄは、スライド部材２２に設けられたガイド部２２ｃに沿ってガイドされる。
【００５２】
さらに、引戸１３が引戸閉鎖方向（Ｘ２方向）に移動すると、図１０（ｄ）及び図１１（ｃ）に示すように、揺動レバー２３の係合爪２３ｆがトリガー２７に係合していることにより、揺動レバー２３及びスライド部材２２は、そのままの位置を保持しつつ、相対的にフレーム部材２１に対して、ガイド溝２１ｂに沿って引戸開放方向（Ｘ１方向）に移動する。
このとき、スライド部材２２は、引張バネ２５の張力により引戸開放側に向かって付勢されると共に、ダンパー部材２６により、その移動が抑制される。これにより、スライド部材２２は、引張バネ２５により確実に閉鎖位置まで移動することになると共に、スライド部材２２のフレーム部材２１に対する移動が低速となる。
【００５３】
最後に、引戸１３が閉鎖位置まで移動すると、図７及び図８に示すように、引戸１３の左端が戸枠１１に当接するが、引戸１３の移動速度が低速であることから、引戸の閉鎖時における指挟み等が発生したとしても、引戸による衝撃が小さくなると共に、引戸が戸枠に当たる衝撃音も小さくなる。
このとき、揺動レバー２３の係合軸２３ｅは、フレーム部材２１のガイド溝２１ｂの右端付近まで達する。
【００５４】
このようにして、引戸１３の自動的な閉鎖の際に、引戸１３が閉鎖位置に近づいたとき、揺動レバー２３が停止位置から摺動位置に揺動し、揺動レバー２３及びスライド部材２２がフレーム部材２１内を引戸開放側に摺動し、その際ダンパー部材２６により減速される。
【００５５】
そして、停止位置に在る揺動レバー２３がロック部材２４により確実に係止されていることによって、引戸１３の開放状態、具体的には引戸１３の左端が戸枠１１から所定距離Ｄ以上離れている状態においては、揺動レバー２３が停止位置に在って、ロック部材２４により係止されているので、引戸１３の開閉動作等により振動や衝撃等が加えられたとしても、揺動レバー２３が不用意に停止位置から摺動位置に向かって揺動してしまうようなことはない。
また、上述のようにロック部材２４による係止が解除されない限り揺動レバー２３が停止位置から摺動位置に向かって揺動してしまうようなことがないから、揺動レバー２３の停止位置から摺動位置への移動に要する力を小さく設定することができる。このため、揺動レバー２３のトリガーへの当接時における衝撃音を低減することができる。
【００５６】
次に、引戸１３が閉鎖位置から開放される場合について、説明する。
閉鎖位置からダンパー２６の減衰力に抗して、引戸１３が開放方向に移動されると、図１０（ｄ）及び図１１（ｃ）に示すように、引戸が閉鎖位置から所定距離Ｄだけ離れた位置に達したとき、揺動レバー２３の揺動軸２３ａがガイド溝２１ｂの引戸閉鎖側の端部に達し、さらに引戸１３が開放方向に移動されると、スライド部材２２及び揺動レバー２３が引戸開放方向に押動される。
これにより、揺動レバー２３の係合爪２３ｆが相対的にトリガー２７により押動されることになり、揺動レバー２３の係合軸２３ｅがガイド溝２１ｂから係合溝２１ｃ内に嵌入しながら、揺動レバー２３が揺動する。
【００５７】
従って、図１０（ｃ）及び図１１（ｂ）に示すように、揺動レバー２３が摺動位置から停止位置に向かって揺動する。これにより、揺動レバー２３の係合爪２３ｆがトリガー２７から外れる。
そして、図１０（ｂ）及び図１１（ａ）に示すように、ロック部材２４は圧縮バネ２４ｂの付勢により揺動し、係合部２４ｄは、ガイド部２２ｃに沿ってガイドされ、揺動レバー２３が停止位置に達すると、係合凹部２２ｄ内に嵌入して、揺動レバー２３を停止位置に係止する。
その後、さらに引戸１３が開放方向に移動すると、図１０（ａ）に示すように、ロック部材２４の尖端２４ｅがトリガー２７から離反し、ユニット部材２０は、ガイドローラ１４と一体的に、引戸開放方向に向かって移動する。
これにより、引戸１３は、全開位置または任意の開放位置まで開放される。
【００５８】
また、ユニット部材２０が引戸１３に取り付けられない組み付け前においても、揺動レバー２３は、ロック部材２４によって停止位置に係止されている。従って、ガイドローラ１４及びユニット部材２０の出荷時から組み付け直前までにおいても、揺動レバー２３が確実に停止位置に係止されていることになる。
従って、組み付け時に、揺動レバー２３が停止位置に在ることを確認する必要がなく、また摺動位置に在る揺動レバー２３を手作業で停止位置に戻す必要がない。このため、ユニット部材２０を容易に引戸１３に組み付けることができるので、組立時間が短くて済むことになる。
【００５９】
本発明はその趣旨を逸脱しない範囲において様々な形態で実施することができる。
例えば、上述した実施形態においては、ロック部材２４は、圧縮バネ２４ｂにより付勢されているが、これに限らず、他の付勢部材によって付勢されていてもよく、あるいは自重により係合部２４ｄがガイド部２２ｃの係合凹部２２ｄ内に嵌入するようにしてもよい。
【００６０】
上述した実施形態においては、付勢手段として引張バネ２５を備えているが、これに限らず、他の付勢手段であってもよい。
上述した実施形態においては、抑制手段として、ダンパー部材２６を備えているが、これに限らず、他の抑制手段であってもよい。
【００６１】
上述した実施形態においては、本引戸用ランナー１４及び２０を自動式引戸に組み込んだ場合について説明したが、これに限らず、自閉式でない手動式引戸に本発明を適用することも可能である。
【００６２】
また、上述した実施形態においては、戸枠１１の上縁にガイドレール１２が取り付けられて、引戸１３の上端にガイドローラ及びユニット部材が取り付けられているが、これに限らず、戸枠１１の下縁にガイドレールが取り付けられて、引戸１３の下端にガイドローラ及びユニット部材が取り付けられていてもよい。
【００６３】
上述した実施形態においては、戸枠側にガイドレールが取り付けられ、引戸側にガイドローラ及びユニット部材が取り付けられているが、これに限らず、引戸側にガイドレールが取り付けられ、戸枠側にガイドローラ及びユニット部材が取り付けられていてもよい。
上述した実施形態においては、引戸をガイドレールに沿って移動させるためにガイドローラを備えているが、これに限らず、例えばガイドレールを摺動する等の異なる方式のガイド部材を備えるようにしてもよい。
【００６４】
また、上述した実施形態においては、本引戸用ランナーは、引戸１３の閉鎖時に、閉鎖位置付近で引戸１３を制動しつつ閉鎖位置まで確実に移動させるようになっているが、これに限らず、引戸１３の開放時に、開放位置付近で引戸１３を制動しつつ開放位置まで確実に移動させることも可能である。
この場合、ガイドレール１２及び引戸１３に対して、それぞれ引戸１３の開閉方向に関して逆向きにトリガー２７及びユニット部材２０を取り付けることにより、引戸開放時の制御動作が実現可能である。
【００６５】
以上述べたように、本発明によれば、簡単な構成により、揺動レバーが不用意に摺動位置に揺動しないようにした、閉鎖位置または開放位置付近で引戸を制動するための極めて優れた引戸用ランナーが提供される。
【符号の説明】
【００６６】
１０    自閉式引戸
１１    戸枠
１２    ガイドレール
１３    引戸（戸板）
１４    ガイドローラ（引戸用ランナー）
２０    ユニット部材（引戸用ランナー）
２１    フレーム部材
２１ｂ  ガイド溝
２１ｃ  係合溝
２２    スライド部材
２２ｃ  ガイド部
２２ｄ  係合凹部
２３    揺動レバー
２３ａ  揺動軸
２３ｃ  係合部
２３ｅ  係合軸
２３ｆ  係合爪
２４    ロック部材
２４ａ  揺動軸
２４ｄ  係合部
２４ｅ  尖端
２５    バネ（付勢手段）
２６    ダンパー部材（抑制手段）
２７    トリガー
【図１】
2016194213.tif 000003
【図２】
2016194213.tif 000004
【図３】
2016194213.tif 000005
【図４】
2016194213.tif 000006
【図５】
2016194213.tif 000007
【図６】
2016194213.tif 000008
【図７】
2016194213.tif 000009
【図８】
2016194213.tif 000010
【図９】
2016194213.tif 000011
【図１０】
2016194213.tif 000012
【図１１】
2016194213.tif 000013